(57)【要約】【課題】重量のある片持ち状態でラックの支柱にネジ止めして取り付ける筐体であっても安全で取り付けが容易な電子機器筐体を実現する。【解決手段】一体成形された底板５３と側面板２２１，２２２の程度で構成される軽量の下側筐体２１をラック支柱１１１，１１２に取り付けた状態で、前面側から機能部品を収納した上側筐体１９を、下側筐体２１上を所定の位置までスライドさせる作業により取り付けを行う。これにより上側筐体１９が重量のあるものであっても、ラック支柱１１１，１１２へ簡単な構成で安全な取り付け作業を実現することができる。【選択図】図１
2005101360.tif 000002
【特許請求の範囲】
【請求項１】
底板および側面板で構成される下側筐体と、
上面板および側面板で構成される上側筐体と、
前記下側筐体の側面板の上端縁に係合する上側筐体の側面板に形成した段部と、
前記段部と下側筐体が係合された状態で前記上側および下側筐体に取り付けこれらの背面を覆う背面坂と、
前記上側および下側筐体に取り付け前面を覆う前面板とを具備したことを特徴とする電子機器筐体。
【請求項２】
前記下側筐体と前記上側筐体の前面板、背面板の少なくとも一方は、兼用したものであることを特徴とする請求項１記載の電子機器筐体。
【請求項３】
前記下側筐体および上側筐体の側面板にそれぞれフランジの一方を取り付け、該フランジの他方をラック支柱に取り付けたことを特徴とする請求項１記載の電子機器筐体。
【請求項４】
前記上側筐体は、前記下側筐体に係合させた状態で所定位置までスライド可能としたことを特徴とする請求項１記載の電子機器筐体。
【請求項５】
前記段部を下側筐体の側面板に形成し、前記上側筐体の側面部と係合するようにしたことを特徴とする請求項１記載の電子機器筐体。
【請求項６】
前記段部に係合させる側面板の係合部分は折り曲げられていることを特徴とする請求項１または５記載の電子機器筐体。
【請求項７】
先ず底板および側面板で構成される下側筐体を、所定間隔に配置されたラック支柱に取り付け、
上面板および側面板で構成される上側筐体の側面板の上端縁に係合する上側筐体の側面板に形成した段部を前記下側筐体の側面板に係合させ、
前記上側および下側筐体の背面を覆う背面坂を取り付け、
前記上側および下側筐体の前面を覆う前面板を取り付けることを特徴とする筐体組み立て方法。
【請求項８】
前面板を取り付けてから背面坂を取り付けることを特徴とする請求項６記載の筐体組み立て方法。
【請求項９】
前記上側筐体を前記下側筐体に上前面側からスライドさせて所定位置に取り付けたことを特徴とする請求項５記載の筐体組み立て方法。
【発明の詳細な説明】
【技術分野】
【０００１】
この発明は、床に設置するいわゆるラック設置型の電子機器筐体および筐体組み立て方法に関する。
【背景技術】
【０００２】
従来ラック設置型の筐体は、前面側に位置する筐体を構成する左右の側面板の前縁に形成した耳をラックの支柱に取り付けていた。（例えば、特許文献１）
【特許文献１】特開平５−１０７４１６号公報（第３頁、図２、３）
【発明の開示】
【発明が解決しようとする課題】
【０００３】
上記した特許文献１の技術は、筐体の側面板の前面側に一体的に形成された耳を支柱にネジ止めし片持ち状態で支持するものであるが、電子機器全体の重量が重い場合は取り付けが容易でないばかりか安全性上も不安定であった。
【０００４】
この発明の目的は、重量のある片持ち状態でラックの支柱にネジ止で取り付ける筐体であっても安全で取り付けが容易な電子機器筐体および筐体組み立て方法を提供することにある。
【課題を解決するための手段】
【０００５】
上記した課題を解決するために、この発明の電子機器筐体は、底板および側面板で構成される下側筐体と、上面板および側面板で構成される上側筐体と、前記下側筐体の側面板の上端縁に係合する上側筐体の側面板に形成した段部と、前記段部と下側筐体が係合された状態で前記上側および下側筐体に取り付けこれらの背面を覆う背面坂と、前記上側および下側筐体に取り付け前面を覆う前面板とを具備したことを特徴とする。
【０００６】
また、この発明の筐体組み立て方法は、先ず底板および側面板で構成される下側筐体を、所定間隔に配置されたラック支柱に取り付け、上面板および側面板で構成される上側筐体の側面板の上端縁に係合する上側筐体の側面板に形成した段部を前記下側筐体の側面板に係合させ、前記上側および下側筐体の背面を覆う背面坂を取り付け、前記上側および下側筐体の前面を覆う前面板を取り付けることを特徴とする。
【発明の効果】
【０００７】
この発明の電子機器筐体によれば、筐体を上下に分け下側の筐体をラック支柱に取り付けた状態で上側の筐体を支柱に取り付けるようにしたことにより、取り付けを容易とするとともに安全性の向上にも寄与することができる。
【発明を実施するための最良の形態】
【０００８】
以下、この発明の実施の形態について、図面を参照しながら詳細に説明する。
【０００９】
図１〜図５は、この発明の一実施例について説明するための、図１はラック支柱に取り付けた状態の斜視図、図２は図１本体部の正面図、図３は図１の側面図、図４は図１の分解斜視図、図５は図４の要部の拡大斜視図である。
【００１０】
先ず、図１〜図３において、１１１，１１２は床から所定の間隔を置いて垂直に配置されるラック支柱である。１２は機器筐体であり、この機器筐体１２はＬ字状のフランジ１３１，１３２と１４１，１４２の一面にそれぞれ形成された取付孔１５，１６を介してラック支柱１１１，１１２にネジ１７，１８を用いて取り付けることで支持する。フランジ１３１，１３２の他面は、上下に分離された上側筐体１９の側面板２０１，２０２に複数のネジ２１を用いてそれぞれネジ止めする。フランジ１４１，１４２は、上下に分離された下側筐体２１の側面板２２１，２２２にそれぞれネジ２３を用いて取り付ける。
【００１１】
２４は上面板、２５は前面板、２６背面板である。上面板２４はネジを用いてネジ止めし、背面板２６は上側および下側筐体１９，２１兼用であり、ネジを用いてネジ止めする。上側および下側筐体１９，２１兼用の前面板２５は、上面板２４の前面側は折り曲げられ、その折り曲げ部分に形成されたスリット２７１，１７２に上端面に形成され略直角に折り曲げられた突起２８１，１８２を挿入する。スリット２７１，２７２は突起１８１，１８２の幅より長い形状となっており、突起２８１，２８２をスリット２７１，２７２に挿入した状態で前面板２５が図中矢印方向に移動可能である。移動後の突起２７１，２７２は幅の広くなったスリット２７１，２７２の係合部に係合する。前面板２５の下方には連結した径大と径小の取付孔２９を形成する。取付孔２９の径大部分は、下側筐体２１に予め仮止めされたネジ３０の頭部より大とし、取付孔２９の径小部分は、ネジ３０の頭部より小とする。取付孔２９の径大部分をネジ３０の頭部から挿入し、その後ネジ３０が径小部分に位置するように前面板２５を移動させ、移動させた状態でネジ３０をネジ止めし、前面板２５を上側および下側筐体１９，２１に取り付ける。前面板２５の移動は、突起２８１，２８２の矢印方向移動と同時に行う。
【００１２】
次に、図４、図５を参照し、上側および下側筐体１９，２１の接合部分について説明する。なお、図１〜図３と同一の構成部分には同一の符号を付して説明する。
【００１３】
図４において、４１は上側筐体１９内に収容されたシャーシであり、このシャーシ４１にはコネクタユニット４２、ユニット基板４３などの機能部品が搭載される。シャーシ４１は側面板２０１，２０２とをネジを用いて取り付ける。
【００１４】
上側筐体１９と下側筐体２１が合体する部分は、図５にも示されるように構成する。図５では上側筐体１９の側面板２０１側と下側筐体２１の合体部分を拡大して示す。なお、側面板２０２側と下側筐体２１の合体部分についても左右の違い程度の差しかない。
【００１５】
すなわち、対向配置される側面板２０１，２０２の下端縁５１から所定位置に段部５２を形成する。この段部５２は下側筐体２１の底板５３に対向する一辺が垂直に立ち上げ、その開放端を折り曲げた受け部５４が一体的に形成された側面板２２１の受け部５４より若干幅のあるものとする。受け部５４は上側筐体１９をスライドさせる場合に移動をスムースにすることができる。
【００１６】
このように、底板と側面板程度で構成される軽量の下側筐体２１をラック支柱１１１，１１２に取り付けた状態で、前面側から機能部品を収納した上側筐体１９を、下側筐体２１上を所定の位置までスライドさせる作業により取り付け可能となる。このため上側筐体が重量のあるものであってもラック支柱へ安全な取り付け作業が可能となる。
【００１７】
また、前面板２５と背面坂２６は、上側および下側筐体１９，２１と兼用になっていることから、機器筐体１２全体が堅牢な構造となる。
【００１８】
次に、図１に示すラック支柱１１１，１１２に機器筐体１２を取り付ける方法について説明する。
【００１９】
先ず、予めフランジ１４１，１４２が取り付けられた下側筐体２１のフランジ１４１，１４２をラック支柱１１１，１１２にネジ１８により取り付ける。次に、上面板２４、側面板２０１，２０２が予め取り付けられた上側筐体１９の段部５２を下側筐体２１の側面板２２１，２２２の上端縁に前方側から係合させた状態で上側筐体１９をスライドさせる。上側筐体１９のフランジ１３１，１３２がラック支柱１１１，１１２に当接した状態をネジ１７で取り付ける。
【００２０】
次に、前面板２５上端の突起２８１，２８２をスリット２７１，２７２に挿入するとともに下端の取付孔２９の径大部分に仮止め状態のネジ３０を挿入する。この状態で前面板２５を図１の矢印方向に移動させる。移動後にネジ３０を締め付けて取り付ける。その後、背面坂２６を上側および下側筐体１９，２１に取り付け、機器筐体１２をラック支柱１１１，１１２に取り付ける。
【００２１】
上記した方法によれば、取り付けが容易な下側筐体２１を取り付けた状態で、これを支えにして上側筐体１９を取り付けるようにしたことにより取付作業が容易となるばかりか安全性の面でも向上に寄与することが可能となる。
【００２２】
この発明は、上記した実施例に限定されるものではなく、例えば上側筐体側に形成された段部は下側筐体に形成し、この段部で上側筐体の側面板を受けるようにしても同様の効果を奏する。
【図面の簡単な説明】
【００２３】
【図１】この発明の一実施例について説明するための斜視図。
【図２】図１の機器筐体の正面図。
【図３】図１の機器筐体の側面図。
【図４】図１の分解斜視図。
【図５】図２の要部の拡大斜視図。
【符号の説明】
【００２４】
１１１，１１２…ラック支柱
１２…機器筐体
１３１，１３２…フランジ
１９…上側筐体
２０１，２０２，２２１，２２２…側面板
２１…下側筐体
２４…上面板
２５…前面板
２６…背面板
５２…段部
５３…底板
【図１】
2005101360.tif 000003
【図２】
2005101360.tif 000004
【図３】
2005101360.tif 000005
【図４】
2005101360.tif 000006
【図５】
2005101360.tif 000007